(57)【特許請求の範囲】
【請求項１】
セット販売指令が与えられた場合に、予め設定された種類毎の商品群の中から各商品群より選択された商品をセット商品として販売する自動販売機に適用される制御装置であって、
前記セット販売指令が与えられた場合に、セット商品として販売可能な商品に関連付けられた商品選択ボタンに対応する光源を点灯させ、いずれか１つの商品群の中から商品選択ボタンが押下操作されて商品が選択されると、該商品群における他の商品の商品選択ボタンに対応する光源のみを消灯させる消灯制御を行う制御手段を備えたことを特徴とする自動販売機の制御装置。
【請求項２】
前記制御手段は、押下操作された商品選択ボタンに対応する光源を点滅点灯させることを特徴とする請求項１に記載の自動販売機の制御装置。
【請求項３】
前記制御手段は、いずれか１つの商品群の中から商品選択ボタンが押下操作されて商品が選択された後に他の商品群の中から商品選択ボタンが押下操作されることにより、各商品群から選択されたセット商品の価格を表示部に表示させることを特徴とする請求項１又は請求項２に記載の自動販売機の制御装置。
【請求項４】
前記制御手段は、前記消灯制御を行った場合においてもその後に同一の商品群の中から他の商品選択ボタンが押下操作されると、この商品選択ボタンに対応する光源を点灯させてそれまで点灯させていた光源を消灯させることを特徴とする請求項１〜３のいずれか１つに記載の自動販売機の制御装置。
【請求項５】
前記制御手段は、セット商品として販売対象となっている商品であっても前記セット販売指令が与えられた時点で規制対象となっている場合には、該商品の商品選択ボタンを無効化させるとともに該商品選択ボタンに対応する光源を消灯させることを特徴とする請求項１〜４のいずれか１つに記載の自動販売機の制御装置。
【請求項６】
前記制御手段は、セット販売が許容される場合には、前記セット販売指令の入力手段であるセット販売ボタンを有効化させるとともに該セット販売ボタンに対応する光源を点灯させる一方、セット販売が禁止されている場合には、前記セット販売ボタンを無効化させるととともに前記光源を消灯させることを特徴とする請求項１〜５のいずれか１つに記載の自動販売機の制御装置。
【発明の詳細な説明】
【技術分野】
【０００１】
本発明は、自動販売機の制御装置に関し、より詳細には、予め設定された種類毎の商品群の中から各商品群より選択された商品をセット商品として販売する自動販売機に適用される制御装置に関するものである。
【背景技術】
【０００２】
従来、予め設定された種類毎の商品群の中から各商品群より選択された商品をセット商品として販売する自動販売機が知られている。このような自動販売機においては、利用者によりまとめ買い選択ボタンが押下操作されることにより、この利用者によるまとめ買い商品の選択を受け付け、まとめ買いをする商品が選択されると、所定の入金処理が行われることを条件に、選択された商品を払い出すようにしていた（例えば、特許文献１参照）。
【先行技術文献】
【特許文献】
【０００３】
【特許文献１】特開平６−１３１５３９号公報
【発明の概要】
【発明が解決しようとする課題】
【０００４】
ところで、上述した特許文献１に提案されている自動販売機においては、まとめ買い選択ボタンが押下操作されることにより、商品選択ボタン及びこれに対応する光源を点灯させて該利用者によるまとめ買い商品の選択を受け付けているだけであり、利用者にとっては、まとめ買い選択ボタンを押下操作した後にどのような操作をしたらよいか判らず、商品購入を躊躇ってしまい、結果的にセット商品の購入意欲の減退を招来してしまう虞れがあった。
【０００５】
本発明は、上記実情に鑑みて、利用者に対してセット商品の購入操作を促すことで、セット商品の購入意欲を増大させて商品販売機会の増大化を図ることができる自動販売機の制御装置を提供することを目的とする。
【課題を解決するための手段】
【０００６】
上記目的を達成するために、本発明の請求項１に係る自動販売機の制御装置は、セット販売指令が与えられた場合に、予め設定された種類毎の商品群の中から各商品群より選択された商品をセット商品として販売する自動販売機に適用される制御装置であって、前記セット販売指令が与えられた場合に、セット商品として販売可能な商品に関連付けられた商品選択ボタンに対応する光源を点灯させ、いずれか１つの商品群の中から商品選択ボタンが押下操作されて商品が選択されると、該商品群における他の商品の商品選択ボタンに対応する光源のみを消灯させる消灯制御を行う制御手段を備えたことを特徴とする。
【０００７】
また、本発明の請求項２に係る自動販売機の制御装置は、上述した請求項１において、前記制御手段は、押下操作された商品選択ボタンに対応する光源を点滅点灯させることを特徴とする。
【０００８】
また、本発明の請求項３に係る自動販売機の制御装置は、上述した請求項１又は請求項２において、前記制御手段は、いずれか１つの商品群の中から商品選択ボタンが押下操作されて商品が選択された後に他の商品群の中から商品選択ボタンが押下操作されることにより、各商品群から選択されたセット商品の価格を表示部に表示させることを特徴とする。
【０００９】
また、本発明の請求項４に係る自動販売機の制御装置は、上述した請求項１〜３のいずれか１つにおいて、前記制御手段は、前記消灯制御を行った場合においてもその後に同一の商品群の中から他の商品選択ボタンが押下操作されると、この商品選択ボタンに対応する光源を点灯させてそれまで点灯させていた光源を消灯させることを特徴とする。
【００１０】
また、本発明の請求項５に係る自動販売機の制御装置は、上述した請求項１〜４のいずれか１つにおいて、前記制御手段は、セット商品として販売対象となっている商品であっても前記セット販売指令が与えられた時点で規制対象となっている場合には、該商品の商品選択ボタンを無効化させるとともに該商品選択ボタンに対応する光源を消灯させることを特徴とする。
【００１１】
また、本発明の請求項６に係る自動販売機の制御装置は、上述した請求項１〜５のいずれか１つにおいて、前記制御手段は、セット販売が許容される場合には、前記セット販売指令の入力手段であるセット販売ボタンを有効化させるとともに該セット販売ボタンに対応する光源を点灯させる一方、セット販売が禁止されている場合には、前記セット販売ボタンを無効化させるととともに前記光源を消灯させることを特徴とする。
【発明の効果】
【００１２】
本発明によれば、制御手段が、セット販売指令が与えられた場合に、セット商品として販売可能な商品に関連付けられた商品選択ボタンに対応する光源を点灯させ、いずれか１つの商品群の中から商品選択ボタンが押下操作されて商品が選択されると、該商品群における他の商品の商品選択ボタンに対応する光源のみを消灯させる消灯制御を行うので、利用者に対して購入操作の案内をすることができ、利用者が次のどのような購入操作をすればよいか認識することができる。これにより、利用者に対してセット商品の購入操作を促すことで、セット商品の購入意欲を増大させて商品販売機会の増大化を図ることができるという効果を奏する。
【図面の簡単な説明】
【００１３】
【図１】図１は、本発明の実施の形態である制御装置を適用した自動販売機を示すブロック図である。
【図２】図２は、販売可能ランプ及びセット販売ランプの点灯パターンを説明するための説明図である。
【図３】図３は、図１に示した制御手段が実施するセット商品販売処理の処理内容を示すフローチャートである。
【図４】図４は、販売可能ランプ及びセット販売ランプの点灯パターンを説明するための説明図である。
【図５】図５は、図３に示した消灯制御処理の処理内容を示すフローチャートである。
【図６】図６は、販売可能ランプ及びセット販売ランプの点灯パターンを説明するための説明図である。
【図７】図７は、図５に示した第１押換え消灯制御処理の処理内容を示すフローチャートである。
【図８】図８は、販売可能ランプ及びセット販売ランプの点灯パターンを説明するための説明図である。
【図９】図９は、販売可能ランプ及びセット販売ランプの点灯パターンを説明するための説明図である。
【図１０】図１０は、図５に示した第２押換え消灯制御処理の処理内容を示すフローチャートである。
【図１１】図１１は、販売可能ランプ及びセット販売ランプの点灯パターンを説明するための説明図である。
【図１２】図１２は、図３に示した払出制御処理の処理内容を示すフローチャートである。
【発明を実施するための形態】
【００１４】
以下に添付図面を参照して、本発明に係る自動販売機の制御装置の好適な実施の形態について詳細に説明する。
【００１５】
図１は、本発明の実施の形態である制御装置を適用した自動販売機を示すブロック図である。ここで例示する制御装置は、缶やペットボトル等の容器に入れられた飲料商品や、箱型の容器に入れられた菓子商品を販売する自動販売機に適用されるものである。
【００１６】
図には明示していないが、自動販売機の本体キャビネットには、複数の商品収納ラックが設けられており、これらの商品収納ラックにコラムが設定されている。コラムは、同一種類の商品が収容される収容単位であり、販売する商品に応じて１、若しくは複数の商品収納ラックが対応している。商品収納ラックには、それぞれに収容した商品の払出制御を行うためのベンドメック１０が設けられているとともに、個々のベンドメック１０に商品の売り切れを検出する売切センサ１１が設けられている。
【００１７】
図１に示すように、上記自動販売機には、コラムに対応した商品選択ボタン１２、販売可能ランプ１３及び売切ランプ１４が設けられているとともに、貨幣処理装置１５、一体表示器１６、セット販売ボタン１７、セット販売ランプ１８及び払出センサ１９が設けられている。
【００１８】
商品選択ボタン１２は、利用者が購入商品を選択するためのもので、図２に一部を拡大して示すように、本体キャビネットの前面開口を開閉する外扉の前面に商品見本Ｓとともに配設されている。個々の商品選択ボタン１２は、利用者によって押下操作された場合にそれぞれの出力信号を後述の制御手段３０に対して出力する。
【００１９】
販売可能ランプ１３は、それぞれ商品選択ボタン１２に対応して設けられており、該商品選択ボタン１２に内蔵された光源である。これら販売可能ランプ１３は、制御手段３０から与えられる点灯指令により点灯（常時点灯あるいは点滅点灯）するものである。売切ランプ１４は、利用者に対して商品が売り切れであるか否かを表示するためのもので、個々の商品選択ボタン１２に対応して設けられている。
【００２０】
貨幣処理装置１５は、コインメカニズムやビルバリデータと称されるものであり、利用者によって貨幣が投入された場合にこれを鑑別し、その鑑別結果を後述の制御手段３０に出力するものである。
【００２１】
一体表示器１６は、投入金額や釣銭金額等、商品を購入する場合に必要となるデータを表示するためのもので、例えば液晶表示器によって構成されている。
【００２２】
セット販売ボタン１７は、外扉の前面に配設されており、利用者に押下操作された場合にセット販売指令を制御手段３０に与えるものである。セット販売ランプ１８は、セット販売ランプ１８に内蔵された光源であり、制御手段３０から与えられる点灯指令により点灯（常時点灯あるいは点滅点灯）するものである。ここで、セット販売とは、予め設定された種類毎の商品群の中から各商品群より選択された商品をセット商品として販売することであり、本実施の形態においては、飲料商品の中から選択された商品と、菓子商品の中から選択された商品とをセット商品として販売することである。
【００２３】
払出センサ１９は、ベンドメック１０の駆動により商品が外扉に設けられた図示せぬ商品取出口を臨む取出部位に払い出されたか否かを検出するものであり、取出部位の近傍に配設されている。
【００２４】
また、上記自動販売機には、リモコン２０が設けられている。リモコン２０は、商品収納ラックに対するコラムの設定や、コラムと商品選択ボタン１２との対応付け、販売価格の設定等、商品の販売に関わる各種設定や確認を行うためのものである。図には明示していないが、このリモコン２０は、自動販売機の管理者やルート作業者と称されるオペレータが操作するものであり、施錠された外扉を解錠して開放した場合にのみ操作することが可能である。
【００２５】
自動販売機の制御手段３０は、図１に示すように、売切センサ１１、貨幣処理装置１５、商品選択ボタン１２、セット販売ボタン１７、払出センサ１９、リモコン２０から出力信号が与えられた場合、予めメモリ４０に格納したプログラムやデータに従ってベンドメック１０、販売可能ランプ１３、売切ランプ１４、セット販売ランプ１８、一体表示器１６、リモコン２０の動作を制御するもので、入力制御部３１、通常販売制御部３２、セット販売制御部３３を備えて構成されている。
【００２６】
入力制御部３１は、各機器から与えられる指令や信号を入力して処理するものである。通常販売制御部３２は、商品の通常販売に関わる処理を統括的に制御するものである。具体的には、リモコン２０の操作により商品収納ラックに対してコラムが設定され、更にコラムに対して商品選択ボタン１２及び販売価格（通常販売価格）が対応付けられた場合、通常販売制御部３２によってコラムの番号と商品収納ラックと商品選択ボタン１２と販売価格とが互いに対応付けられ、これらがメモリ４０に格納されることになる。
【００２７】
また、通常販売制御部３２は、セット商品の販売が許容されている場合には、セット販売ボタン１７を有効化してセット販売ランプ１８を常時点灯させる一方（図２参照）、商品が売切や準備中等でセット商品の販売が禁止されている場合には、セット販売ボタン１７を無効化させてセット販売ランプ１８を消灯させる。
【００２８】
このような通常販売制御部３２は、無効化させたセット販売ボタン１７が押下操作された場合には、図示せぬ報知部を通じて警告音を発生させる。
【００２９】
更に、通常販売制御部３２は、貨幣処理装置１５に貨幣が投入された場合、投入貨幣が販売価格以上となった時点で該当する商品選択ボタン１２を有効化して販売可能ランプ１３を点灯する。商品選択ボタン１２が押下操作された場合、押下操作された商品選択ボタン１２の販売可能ランプ１３を点滅点灯させてから対応するコラムの商品収納ラックに設けられたベンドメック１０を動作させて商品を１つずつ払い出す動作を行い、売切センサ１１を通じて商品収納ラックの商品を監視し、商品無しを検出した場合、対応するコラムの売切ランプ１４を点灯して売切状態であることを報知する処理を行う。
【００３０】
セット販売制御部３３は、セット販売ランプ１８が押下操作された場合に、後述するようなセット商品の販売に関わる処理を統括的に制御するものである。
【００３１】
図３は、上述した制御手段３０が実施するセット商品販売処理の処理内容を示すフローチャートである。以下の説明においては、図２に示すように商品Ａ〜Ｆが対象商品であって、商品Ａ及びＢは、缶容器に入れられた飲料商品で、商品Ｃはペットボトル容器に入れられた飲料商品であり、商品Ｄ〜Ｆは、紙製の箱容器に入れられた菓子商品である。つまり、商品Ａ〜Ｃが同一の種類（飲料）の商品群に属しており、商品Ｄ〜Ｆが同一の種類（菓子）の商品群に属している。そして、商品Ａ〜Ｆの個々の価格は「１２０円」とし、商品Ａ〜Ｃのいずれか１つと、商品Ｄ〜Ｆのいずれか１つとの組合せからなるセット商品の価格は「２００円」として説明する。
【００３２】
利用者にセット販売ボタン１７が押下操作された場合（ステップＳ１０１：Ｙｅｓ）、すなわちセット販売ボタン１７から与えられた出力信号を入力制御部３１が入力処理する場合、制御手段３０のセット販売制御部３３は、図４に示すようにセット販売ランプ１８を点滅点灯させるとともに商品Ａ〜Ｆの各販売可能ランプ１３を点灯させ（ステップＳ１０２，ステップＳ１０３）、消灯制御処理を実施する（ステップＳ２００）。
【００３３】
ここで、制御手段３０のセット販売制御部３３は、上記ステップＳ１０３においてセット商品の対象となる商品であっても、セット販売ボタン１７が押下操作された時点でコラム別フリーベンド指定されているコラムに収納されていることで規制対象となっている場合には、該商品の商品選択ボタン１２を無効化させるとともに該商品選択ボタン１２に対応する販売可能ランプ１３を消灯させる。そして、このように無効化させた商品選択ボタン１２を押下操作された場合には、制御手段３０は、図示せぬ報知部を通じて警告音を発生させる。
【００３４】
図５は、図３に示した消灯制御処理の処理内容を示すフローチャートである。この図５に示すように、商品Ａに関連付けられた商品選択ボタン１２が押下操作された場合（ステップＳ２０１：Ｙｅｓ）、すなわち商品Ａに関連付けられた商品選択ボタン１２から与えられた出力信号を入力制御部３１が入力処理する場合、制御手段３０のセット販売制御部３３は、図６に示すように商品Ａに関連付けられた商品選択ボタン１２に対応する販売可能ランプ１３を点滅点灯させるとともに、一体表示器１６に商品Ａの価格（「１２０円」）を表示させ（ステップＳ２０２，ステップＳ２０３）、商品Ａと同一の商品群に属する商品Ｂ及びＣに関連付けられた商品選択ボタン１２に対応する販売可能ランプ１３を消灯させる（ステップＳ２０４）。このとき、商品Ｄ〜Ｆの各販売可能ランプ１３は点灯している。
【００３５】
商品Ｂに関連付けられた商品選択ボタン１２が押下操作された場合（ステップＳ２０１：Ｎｏ，ステップＳ２０５：Ｙｅｓ）、すなわち商品Ｂに関連付けられた商品選択ボタン１２から与えられた出力信号を入力制御部３１が入力処理する場合、制御手段３０のセット販売制御部３３は、商品Ｂに関連付けられた商品選択ボタン１２に対応する販売可能ランプ１３を点滅点灯させるとともに、一体表示器１６に商品Ｂの価格（「１２０円」）を表示させ（ステップＳ２０６，ステップＳ２０７）、商品Ｂと同一の商品群に属する商品Ａ及びＣに関連付けられた商品選択ボタン１２に対応する販売可能ランプ１３を消灯させる（ステップＳ２０８）。このとき、商品Ｄ〜Ｆの各販売可能ランプ１３は点灯している。
【００３６】
商品Ｃに関連付けられた商品選択ボタン１２が押下操作された場合（ステップＳ２０１：Ｎｏ，ステップＳ２０５：Ｎｏ，ステップＳ２０９：Ｙｅｓ）、すなわち商品Ｃに関連付けられた商品選択ボタン１２から与えられた出力信号を入力制御部３１が入力処理する場合、制御手段３０のセット販売制御部３３は、商品Ｃに関連付けられた商品選択ボタン１２に対応する販売可能ランプ１３を点滅点灯させるとともに、一体表示器１６に商品Ｃの価格（「１２０円」）を表示させ（ステップＳ２１０，ステップＳ２１１）、商品Ｃと同一の商品群に属する商品Ａ及びＢに関連付けられた商品選択ボタン１２に対応する販売可能ランプ１３を消灯させる（ステップＳ２１２）。このとき、商品Ｄ〜Ｆの各販売可能ランプ１３は点灯している。
【００３７】
一方、商品Ａ〜Ｃの商品選択ボタン１２が押下操作されない場合（ステップＳ２０１：Ｎｏ，ステップＳ２０５：Ｎｏ，ステップＳ２０９：Ｎｏ）、制御手段３０は上記処理を行うことなく、手順をリターンさせて今回の消灯制御処理を終了する。
【００３８】
ところで、上記ステップＳ２０４，ステップＳ２０８及びステップＳ２１２のいずれかを実施した後、制御手段３０は第１押換え消灯制御処理を実施する（ステップＳ２３０）。
【００３９】
図７は、図５に示した第１押換え消灯制御処理の処理内容を示すフローチャートである。この図７に示すように、商品Ａに関連付けられた商品選択ボタン１２が押下操作された場合（ステップＳ２３１：Ｙｅｓ）、制御手段３０のセット販売制御部３３は、該商品選択ボタン１２に対応する販売可能ランプ１３が消灯中であるか否かを確認する（ステップＳ２３２）。商品Ａの販売可能ランプ１３が図６に示すように点滅点灯している場合（ステップＳ２３２：Ｎｏ）、制御手段３０は、後述する処理を実施することなく手順をリターンさせて今回の第１押換え消灯制御処理を終了する。
【００４０】
商品Ａの販売可能ランプ１３が消灯している場合（ステップＳ２３２：Ｙｅｓ）、制御手段３０は、商品Ａの販売可能ランプ１３を点滅点灯させるとともに、一体表示器１６に商品Ａの価格（「１２０円」）を表示させ（ステップＳ２３３，ステップＳ２３４）、商品Ａと同一の商品群に属する商品Ｂ及びＣに関連付けられた商品選択ボタン１２に対応する販売可能ランプ１３を消灯させる（ステップＳ２３５）。その後に手順をリターンさせて今回の第１押換え消灯制御処理を終了する。
【００４１】
商品Ｂに関連付けられた商品選択ボタン１２が押下操作された場合（ステップＳ２３１：Ｎｏ，ステップＳ２３６：Ｙｅｓ）、制御手段３０のセット販売制御部３３は、該商品選択ボタン１２に対応する販売可能ランプ１３が消灯中であるか否かを確認する（ステップＳ２３７）。商品Ｂの販売可能ランプ１３が点滅点灯している場合（ステップＳ２３７：Ｎｏ）、制御手段３０は、後述する処理を実施することなく手順をリターンさせて今回の第１押換え消灯制御処理を終了する。
【００４２】
商品Ｂの販売可能ランプ１３が消灯している場合（ステップＳ２３７：Ｙｅｓ）、制御手段３０は、図８に示すように商品Ｂの販売可能ランプ１３を点滅点灯させるとともに、一体表示器１６に商品Ｂの価格（「１２０円」）を表示させ（ステップＳ２３８，ステップＳ２３９）、商品Ｂと同一の商品群に属する商品Ａ及びＣに関連付けられた商品選択ボタン１２に対応する販売可能ランプ１３を消灯させる（ステップＳ２４０）。その後に手順をリターンさせて今回の第１押換え消灯制御処理を終了する。
【００４３】
商品Ｃに関連付けられた商品選択ボタン１２が押下操作された場合（ステップＳ２３１：Ｎｏ，ステップＳ２３６：Ｎｏ，ステップＳ２４１：Ｙｅｓ）、制御手段３０のセット販売制御部３３は、該商品選択ボタン１２に対応する販売可能ランプ１３が消灯中であるか否かを確認する（ステップＳ２４２）。商品Ｃの販売可能ランプ１３が点滅点灯している場合（ステップＳ２４２：Ｎｏ）、制御手段３０は、後述する処理を実施することなく手順をリターンさせて今回の第１押換え消灯制御処理を終了する。
【００４４】
商品Ｃの販売可能ランプ１３が消灯している場合（ステップＳ２４２：Ｙｅｓ）、制御手段３０は、商品Ｃの販売可能ランプ１３を点滅点灯させるとともに、一体表示器１６に商品Ｃの価格（「１２０円」）を表示させ（ステップＳ２４３，ステップＳ２４４）、商品Ｃと同一の商品群に属する商品Ａ及びＢに関連付けられた商品選択ボタン１２に対応する販売可能ランプ１３を消灯させる（ステップＳ２４５）。その後に手順をリターンさせて今回の第１押換え消灯制御処理を終了する。
【００４５】
一方、商品Ａ〜Ｃの商品選択ボタン１２が押下操作されない場合（ステップＳ２３１：Ｎｏ，ステップＳ２３６：Ｎｏ，ステップＳ２４１：Ｎｏ）、制御手段３０は上記処理を行うことなく、手順をリターンさせて今回の第１押換え消灯制御処理を終了する。
【００４６】
このようにして第１押換え消灯制御処理を行った制御手段３０のセット販売制御部３３は、商品Ｄに関連付けられた商品選択ボタン１２が押下操作された場合（ステップＳ２１３：Ｙｅｓ）、すなわち商品Ｄに関連付けられた商品選択ボタン１２から与えられた出力信号を入力制御部３１が入力処理する場合、図９に示すように商品Ｄに関連付けられた商品選択ボタン１２に対応する販売可能ランプ１３を点滅点灯させるとともに、一体表示器１６に商品Ａ〜Ｃのいずれか選択された商品と商品Ｄとからなるセット商品の価格（「２００円」）を表示させ（ステップＳ２１４，ステップＳ２１５）、商品Ｄと同一の商品群に属する商品Ｅ及びＦに関連付けられた商品選択ボタン１２に対応する販売可能ランプ１３を消灯させる（ステップＳ２１６）。
【００４７】
商品Ｅに関連付けられた商品選択ボタン１２が押下操作された場合（ステップＳ２１３：Ｎｏ，ステップＳ２１７：Ｙｅｓ）、すなわち商品Ｅに関連付けられた商品選択ボタン１２から与えられた出力信号を入力制御部３１が入力処理する場合、制御手段３０のセット販売制御部３３は、商品Ｅに関連付けられた商品選択ボタン１２に対応する販売可能ランプ１３を点滅点灯させるとともに、一体表示器１６に商品Ａ〜Ｃのいずれか選択された商品と商品Ｅとからなるセット商品の価格（「２００円」）を表示させ（ステップＳ２１８，ステップＳ２１９）、商品Ｅと同一の商品群に属する商品Ｄ及びＦに関連付けられた商品選択ボタン１２に対応する販売可能ランプ１３を消灯させる（ステップＳ２２０）。
【００４８】
商品Ｆに関連付けられた商品選択ボタン１２が押下操作された場合（ステップＳ２１３：Ｎｏ，ステップＳ２１７：Ｎｏ，ステップＳ２２１：Ｙｅｓ）、すなわち商品Ｆに関連付けられた商品選択ボタン１２から与えられた出力信号を入力制御部３１が入力処理する場合、制御手段３０のセット販売制御部３３は、商品Ｆに関連付けられた商品選択ボタン１２に対応する販売可能ランプ１３を点滅点灯させるとともに、一体表示器１６に商品Ａ〜Ｃのいずれか選択された商品と商品Ｆとからなるセット商品の価格（「２００円」）を表示させ（ステップＳ２２２，ステップＳ２２３）、商品Ｆと同一の商品群に属する商品Ｄ及びＥに関連付けられた商品選択ボタン１２に対応する販売可能ランプ１３を消灯させる（ステップＳ２２４）。
【００４９】
一方、商品Ｄ〜Ｆの商品選択ボタン１２が押下操作されない場合（ステップＳ２１３：Ｎｏ，ステップＳ２１７：Ｎｏ，ステップＳ２２１：Ｎｏ）、制御手段３０は上記処理を行うことなく、手順をリターンさせて今回の消灯制御処理を終了する。
【００５０】
ところで、上記ステップＳ２１６，ステップＳ２２０及びステップＳ２２４のいずれかを実施した後、制御手段３０は第２押換え消灯制御処理を実施する（ステップＳ２５０）。
【００５１】
図１０は、図５に示した第２押換え消灯制御処理の処理内容を示すフローチャートである。この図１０に示すように、商品Ｄに関連付けられた商品選択ボタン１２が押下操作された場合（ステップＳ２５１：Ｙｅｓ）、制御手段３０のセット販売制御部３３は、該商品選択ボタン１２に対応する販売可能ランプ１３が消灯中であるか否かを確認する（ステップＳ２５２）。商品Ｄの販売可能ランプ１３が図９に示すように点滅点灯している場合（ステップＳ２５２：Ｎｏ）、制御手段３０は、後述する処理を実施することなく手順をリターンさせて今回の第２押換え消灯制御処理を終了する。
【００５２】
商品Ｄの販売可能ランプ１３が消灯している場合（ステップＳ２５２：Ｙｅｓ）、制御手段３０は、商品Ｄの販売可能ランプ１３を点滅点灯させるとともに、一体表示器１６に商品Ａ〜Ｃのいずれか選択された商品と商品Ｄとからなるセット商品の価格（「２００円」）を表示させ（ステップＳ２５３，ステップＳ２５４）、商品Ｄと同一の商品群に属する商品Ｅ及びＦに関連付けられた商品選択ボタン１２に対応する販売可能ランプ１３を消灯させる（ステップＳ２５５）。その後に手順をリターンさせて今回の第２押換え消灯制御処理を終了する。
【００５３】
商品Ｅに関連付けられた商品選択ボタン１２が押下操作された場合（ステップＳ２５１：Ｎｏ，ステップＳ２５６：Ｙｅｓ）、制御手段３０のセット販売制御部３３は、該商品選択ボタン１２に対応する販売可能ランプ１３が消灯中であるか否かを確認する（ステップＳ２５７）。商品Ｅの販売可能ランプ１３が点滅点灯している場合（ステップＳ２５７：Ｎｏ）、制御手段３０は、後述する処理を実施することなく手順をリターンさせて今回の第２押換え消灯制御処理を終了する。
【００５４】
商品Ｅの販売可能ランプ１３が消灯している場合（ステップＳ２５７：Ｙｅｓ）、制御手段３０は、商品Ｅの販売可能ランプ１３を点滅点灯させるとともに、一体表示器１６に商品Ａ〜Ｃのいずれか選択された商品と商品Ｅとからなるセット商品の価格（「２００円」）を表示させ（ステップＳ２５８，ステップＳ２５９）、商品Ｅと同一の商品群に属する商品Ｄ及びＦに関連付けられた商品選択ボタン１２に対応する販売可能ランプ１３を消灯させる（ステップＳ２６０）。その後に手順をリターンさせて今回の第２押換え消灯制御処理を終了する。
【００５５】
商品Ｆに関連付けられた商品選択ボタン１２が押下操作された場合（ステップＳ２５１：Ｎｏ，ステップＳ２５６：Ｎｏ，ステップＳ２６１：Ｙｅｓ）、制御手段３０のセット販売制御部３３は、該商品選択ボタン１２に対応する販売可能ランプ１３が消灯中であるか否かを確認する（ステップＳ２６２）。商品Ｆの販売可能ランプ１３が点滅点灯している場合（ステップＳ２６２：Ｎｏ）、制御手段３０は、後述する処理を実施することなく手順をリターンさせて今回の第２押換え消灯制御処理を終了する。
【００５６】
商品Ｆの販売可能ランプ１３が消灯している場合（ステップＳ２６２：Ｙｅｓ）、制御手段３０は、図１１に示すように商品Ｆの販売可能ランプ１３を点滅点灯させるとともに、一体表示器１６に商品Ａ〜Ｃのいずれか選択された商品と商品Ｆとからなるセット商品の価格（「２００円」）を表示させ（ステップＳ２６３，ステップＳ２６４）、商品Ｆと同一の商品群に属する商品Ｄ及びＢに関連付けられた商品選択ボタン１２に対応する販売可能ランプ１３を消灯させる（ステップＳ２６５）。その後に手順をリターンさせて今回の第２押換え消灯制御処理を終了する。
【００５７】
一方、商品Ｄ〜Ｆの商品選択ボタン１２も押下操作されない場合（ステップＳ２５１：Ｎｏ，ステップＳ２５６：Ｎｏ，ステップＳ２６１：Ｎｏ）、制御手段３０は上記処理を行うことなく、手順をリターンさせて今回の第２押換え消灯制御処理を終了する。
【００５８】
このようにして第２押換え消灯制御処理を行った制御手段３０のセット販売制御部３３は、手順をリターンさせて、今回の消灯制御処理を終了する。
【００５９】
このような消灯制御処理を具体例を挙げて説明すると、商品Ａの商品選択ボタン１２が押下操作されると、図６に示したようにこれに対応する販売可能ランプ１３を点滅点灯させるとともに一体表示器１６に商品Ａの価格（「１２０円」）を表示させ、商品Ａと同一の商品群に属する商品Ｂ及びＣの販売可能ランプ１３を消灯させる（消灯制御処理：ステップＳ２０１〜ステップＳ２０４）。その後、商品Ｂの商品選択ボタン１２が押下操作されると、図８に示したようにこれに対応する販売可能ランプ１３を点滅点灯させるとともに一体表示器１６に商品Ｂの価格（「１２０円」）を表示させ、商品Ａの販売可能ランプ１３を消灯させる（第１押換え消灯制御処理：ステップＳ２３６〜ステップＳ２４０）。
【００６０】
商品Ｄの商品選択ボタン１２が押下操作されると、図９に示したようにこれに対応する販売可能ランプ１３を点滅点灯させるとともに一体表示器１６に商品Ｂと商品Ｄとからなるセット商品の価格（「２００円」）を表示させ、商品Ｄと同一の商品群に属する商品Ｅ及びＦの販売可能ランプ１３を消灯させる（消灯制御処理：ステップＳ２１３〜ステップＳ２１６）。その後、商品Ｆの商品選択ボタン１２が押下操作されると、図１１に示したようにこれに対応する販売可能ランプ１３を点滅点灯させるとともに一体表示器１６に商品Ｂと商品Ｆとからなるセット商品の価格（「２００円」）を表示させ、商品Ｄの販売可能ランプ１３を消灯させる（第２押換え消灯制御処理：ステップＳ２６１〜ステップＳ２６５）。
【００６１】
このようにして消灯制御処理を行った制御手段３０は、セット商品が選択されることで商品選択が成立した場合（ステップＳ１０４：Ｙｅｓ）、すなわち商品Ａ〜Ｃのいずれかの商品が選択され、かつ商品Ｄ〜Ｆのいずれかの商品が選択された場合、入金待ち状態となる（ステップＳ１０５）。
【００６２】
そして、予め設定された入金時間以内に貨幣処理装置１５を通じてセット商品金額以上の入金額があった場合（ステップＳ１０６：Ｙｅｓ，ステップＳ１１０：Ｎｏ）、点滅点灯させていた販売可能ランプ１３を常時点灯させて払出制御処理を行う（ステップＳ１０７，ステップＳ３００）。
【００６３】
図１２は、図３に示した払出制御処理の処理内容を示すフローチャートである。この図１２に示すように、払出制御処理において制御手段３０のセット販売制御部３３は、優先的に飲料商品（例えば商品Ｂ）のコラムのベンドメック１０に払出指令を与え（ステップＳ３０１）、予め設定された払出時間内に払出センサ１９より払出が検出された場合（ステップＳ３０２：Ｙｅｓ，ステップＳ３０４：Ｎｏ）、菓子商品（例えば商品Ｆ）のコラムのベンドメック１０に払出指令を与える（ステップＳ３０３）。
【００６４】
ここで上記払出時間内に払出センサ１９より飲料商品の払出が検出されない場合（ステップＳ３０２：Ｎｏ，ステップＳ３０４：Ｙｅｓ）、制御手段３０のセット販売制御部３３は、貨幣処理装置１５に対して返金指令を与えて（ステップＳ３０５）、その後に手順をリターンさせて今回の払出制御処理を終了する。これによれば、上記ステップＳ１０５で投入された金銭が貨幣処理装置１５により返却されることとなる。
【００６５】
上記ステップＳ３０３の処理を行った制御手段３０のセット販売制御部３３は、予め設定された払出時間内に払出センサ１９より払出が検出された場合（ステップＳ３０６：Ｙｅｓ，ステップＳ３０９：Ｎｏ）、釣銭があるか否かを確認する（ステップＳ３０７）。
【００６６】
そして、制御手段３０のセット販売制御部３３は、釣銭がある場合には（ステップＳ３０７：Ｙｅｓ）、貨幣処理装置１５に釣銭払出指令を与えて（ステップＳ３０８）、その後に手順をリターンさせて今回の払出制御処理を終了する一方、釣銭がない場合には（ステップＳ３０７：Ｎｏ）、その後に手順をリターンさせて今回の払出制御処理を終了する。これによれば、選択されたセット商品（例えば商品Ｂ及びＦ）を利用者に販売することができる。
【００６７】
一方、上記払出時間内に払出センサ１９より菓子商品の払出が検出されない場合（ステップＳ３０６：Ｎｏ，ステップＳ３０９：Ｙｅｓ）、制御手段３０のセット販売制御部３３は、貨幣処理装置１５に対して入金額から飲料商品（商品Ｂ）の価格を減算した釣銭の払出指令を与えて（ステップＳ３１０）、その後に手順をリターンさせて今回の払出制御処理を終了する。これによれば、菓子商品により商品詰まりが生じても飲料商品を販売することができる。
【００６８】
このようにして払出制御処理を行った制御手段３０は、上記ステップＳ１０７で常時点灯させた販売可能ランプ１３を消灯させるとともにセット販売ランプ１８を常時点灯させて（ステップＳ１０８，ステップＳ１０９）、その後に手順をリターンさせて今回のセット商品販売処理を終了する。
【００６９】
ところで、上記ステップＳ１０４において商品選択が成立していない場合（ステップＳ１０４：Ｎｏ）、すなわち商品Ａ〜Ｃのいずれかの商品と商品Ｄ〜Ｆのいずれかの商品とが選択されていない場合、あるいは上記ステップＳ１０６及びステップＳ１１０において上記入金時間以内に貨幣処理装置１５を通じてセット商品金額以上の入金額がない場合（ステップＳ１０６：Ｎｏ，ステップＳ１１０：Ｙｅｓ）、制御手段３０のセット販売制御部３３は、手順をステップＳ１０８及びステップＳ１０９に移行した後、手順をリターンさせて今回の処理を終了する。
【００７０】
以上説明したような本実施の形態である自動販売機の制御装置によれば、制御手段３０が、セット販売ボタン１７が押下操作された場合に商品Ａ〜Ｆの販売可能ランプ１３を点灯させ、同一の商品群の中から商品選択ボタン１２が押下操作されて商品（例えば商品Ａ）が選択されると、該商品群における他の商品（商品Ｂ及びＣ）の販売可能ランプ１３のみを消灯させる消灯制御を行うので、利用者に対して購入操作の案内をすることができ、利用者が次のどのような購入操作をすればよいか認識することができる。これにより、利用者に対してセット商品の購入操作を促すことで、セット商品の購入意欲を増大させて商品販売機会の増大化を図ることができる。
【００７１】
上記制御装置によれば、制御手段３０が、商品選択ボタン１２が押下操作されることで各商品群（飲料商品群及び菓子商品群）から選択されたセット商品の価格を一体表示器１６に表示させるので、セット商品の価格を容易に理解することができ、これによってもセット商品の購入意欲を増大させることができる。
【００７２】
また、上記制御装置によれば、制御手段３０が、一旦商品が選択されてこれと同一の商品群に属する商品の販売可能ランプ１３を消灯した場合においてもその後に同一の商品群の中から他の商品の商品選択ボタン１２が押下操作されると、この商品選択ボタン１２に対応する販売可能ランプ１３を点灯させてそれまで点灯させていた販売可能ランプ１３を消灯させるので、利用者は商品選択をやり直すことができ、販売操作性を向上させることができる。
【００７３】
また、上記制御装置によれば、制御手段３０が、セット商品の対象となる商品であっても、セット販売ボタン１７が押下操作された時点でコラム別フリーベンド指定されているコラムに収納されていることで規制対象となっている場合には、該商品の商品選択ボタン１２を無効化させるとともに該商品選択ボタン１２に対応する販売可能ランプ１３を消灯させるので、利用者に対してセット商品として販売不可の商品を視覚的に容易に認識させることができ、無効化させた商品選択ボタン１２を押下操作された場合には、報知部を通じて警告音を発生させるので、利用者に対して聴覚的にも認識させることができる。
【００７４】
また、上記制御装置によれば、制御手段３０が、セット商品の販売が許容されている場合には、セット販売ボタン１７を有効化してセット販売ランプ１８を常時点灯させる一方、商品が売切や準備中等でセット商品の販売が禁止されている場合には、セット販売ボタン１７を無効化させてセット販売ランプ１８を消灯させるので、利用者に対してセット商品が販売不可であることを視覚的に容易に認識させることができるとともに、商品選択ボタン１２の押下操作した利用者に対しは聴覚的にも認識させることができる。
【００７５】
更に、上記制御装置によれば、制御手段３０が、飲料商品（商品Ａ〜Ｃ）を優先的に払い出すので、商品詰まりの発生しにくい商品を先に払い出すこととなり、セット商品の販売に際して菓子商品（商品Ｄ〜Ｆ）による商品詰まり等が発生してもセット商品以外の商品（飲料商品）の販売機会を確保することができる。しかも、飲料商品は、菓子商品に対して強度が高いので、菓子商品が先に払い出されることによる不具合、すなわち菓子商品の破損や菓子商品を取り出そうとする利用者が飲料商品により怪我をする等の虞れがない。
【００７６】
また、上記制御装置によれば、制御手段３０が、選択された商品が飲料商品と菓子商品とである場合、菓子商品の払い出しが予め設定された払出時間を超えるときには商品詰まりが発生したとして、投入金額から飲料商品の価格を減算した金額を釣銭として返却させるので、これによっても飲料商品を良好に販売することができ、販売機会を確保することができる。
【００７７】
以上、本発明の好適な実施の形態について説明したが、本発明はこれに限定されるものではなく、種々の変更を行うことができる。
【００７８】
上述した実施の形態では、飲料商品（商品Ａ〜Ｃ）の選択を行った後に、再び飲料商品の選択をやり直すようにしていたが、本発明においては、先に選択した商品の選択のやり直しは、金銭が投入される前であればいつでも行っても良い。
【符号の説明】
【００７９】
１０  ベンドメック
１１  売切センサ
１２  商品選択ボタン
１３  販売可能ランプ
１４  売切ランプ
１５  貨幣処理装置
１６  一体表示器
１７  セット販売ボタン
１８  セット販売ランプ
１９  払出センサ
２０  リモコン
３０  制御手段
３１  入力制御部
３２  通常販売制御部
３３  セット販売制御部
４０  メモリ
【図１】
0005891839.tif 000002
【図２】
0005891839.tif 000003
【図３】
0005891839.tif 000004
【図４】
0005891839.tif 000005
【図５】
0005891839.tif 000006
【図６】
0005891839.tif 000007
【図７】
0005891839.tif 000008
【図８】
0005891839.tif 000009
【図９】
0005891839.tif 000010
【図１０】
0005891839.tif 000011
【図１１】
0005891839.tif 000012
【図１２】
0005891839.tif 000013